(57)【要約】【課題】サポートを角形支柱前面の幅方向中央部に簡単且つ容易に位置決め保持することができて、サポートの取付作業能率を向上できるサポート位置決め保持具を提供する。【解決手段】壁下地用角形支柱１の前面１ａに壁板を取り付けるに先立ち、ブラケット掛止用のスリット穴３を長手方向に多数穿設したサポート２を、角形支柱１の長手方向所要間隔おきで支柱前面１ａの幅方向中央部に位置決めして保持するためのサポート位置決め保持具であって、前面板部９と左右両側板部１０，１０とでコ字状に形成されて角形支柱１に前面側から嵌合するコ字状本体１１からなり、コ字状本体１１の前面板部９にはその左右方向中央部位に、サポート２を左右両側から挟持する一対の挟持部片１２，１２を突設してなる。【選択図】図１
0003129223.tif 000002
【実用新案登録請求の範囲】
【請求項１】
壁下地用角形支柱の前面に壁板材を取り付けるに先立ち、ブラケット掛止用のスリット穴を長手方向に多数穿設したサポートを、角形支柱の前面の幅方向中央部に位置決めして保持するためのサポート位置決め保持具であって、
前面板部と左右両側板部とでコ字状に形成されて角形支柱に前面側から嵌合するコ字状本体からなり、
コ字状本体の前面板部にはその左右方向中央部位に、サポートを左右両側から挟持する一対の挟持部片を突設してなることを特徴とするサポート位置決め保持具。
【請求項２】
コ字状本体は、金属板を折曲してコ字状に形成したもので、前面板部に突設される一対の挟持部片は切り起こし片からなることを特徴とする請求項１に記載のサポート位置決め保持具。
【請求項３】
壁下地用角形支柱の前面に壁板材を取り付けるに先立ち、ブラケット掛止用のスリット穴を長手方向に多数穿設したサポートを、角形支柱の前面の幅方向中央部に位置決めして保持するためのサポート位置決め保持具であって、
前面板部と左右両側板部とでコ字状に形成されて角形支柱の前端部に嵌合するコ字状本体からなり、
コ字状本体の前面板部にはその左右方向中央部位に、サポートを左右両側から挟持する一対の挟持部片を突設すると共に、この一対の挟持部片の下部側に、サポートの下端を支持する支持部片を突設してなることを特徴とするサポート位置決め保持具。
【請求項４】
コ字状本体は、金属板を折曲してコ字状に形成したもので、一対の挟持部片及びこれの下部側に突設される支持部片は夫々切り起こし片からなることを特徴とする請求項３に記載のサポート位置決め保持具。
【考案の詳細な説明】
【技術分野】
【０００１】
本考案は、建築物の内装工事において、壁下地用角形支柱の前面に壁板材を取り付けるに先立って、商品陳列棚等を支持する棚受け用ブラケットや商品を掛けるハンガー用ブラケット等を掛止するためのスリット穴を長手方向に多数穿設したチャンネル材や筒状材からなるサポートを、壁下地用角形支柱の前面の幅方向中央部に位置決めして保持するサポート位置決め保持具に関するものである。
【背景技術】
【０００２】
図８は、軽量角パイプからなる壁下地用角形支柱１の前面に、スリット穴を長手方向に多数穿設したチャンネル材からなるサポート２を取り付け、このサポート２を挟むように壁板材４の端部を角形支柱１の前面にビス止めし、しかしてサポート２にそのスリット穴３を介して棚受け用のブラケット５を掛止し、水平方向に隣り合うブラケット５，５にガラス製の棚板６を載置した状態を示している。サポート２は、タッピンネジ１６によって角形支柱１に固定される。
【０００３】
角形支柱１の前面にはサポート２を挟むように壁板材４の端部が取り付けられるため、サポート２は、支柱１前面の幅方向中央部に位置決めして取り付ける必要があるが、このサポート２の取り付けにあたって、従来では、サポート２を支柱１の前面のほぼ中央部に当て付けた後、支柱の端縁とサポート２の側面との距離がサポート２の左右両側で等しくなるように定規等で測りながら位置決めし、こうして位置決めしたサポート２を手で押えた状態でサポート２をタッピンネジ１６によって角形支柱１に固定していた。
【考案の開示】
【考案が解決しようとする課題】
【０００４】
従来では、サポート２の取り付けにあたって、上記のようにサポート２を支柱１前面のほぼ中央部に当て付けた後、支柱の端縁とサポート２の側面との距離がサポート２の両側で等しくなるように定規等で測りながら位置決めし、こうして位置決めしたサポート２を手で押えた状態でサポート２をタッピンネジにより角形支柱１に固定していたことから、サポート２の取付けに非常な手間と時間を要していた。
【０００５】
本考案は、上記課題に鑑み、サポートを角形支柱前面の幅方向中央部に簡単且つ容易に位置決め保持することができて、サポートの取付作業能率を向上できるサポート位置決め保持具を提供することを目的とする。
【課題を解決するための手段】
【０００６】
上記課題を解決するための手段を、後述する実施形態の参照番号を付して説明すると、請求項１に係る考案は、壁下地用角形支柱１の前面１ａに壁板材４を取り付けるに先立ち、ブラケット掛止用のスリット穴３を長手方向に多数穿設したサポート２を、角形支柱１の前面１ａの幅方向中央部に位置決めして保持するためのサポート位置決め保持具であって、
前面板部９と左右両側板部１０，１０とでコ字状に形成されて角形支柱１に前面側から嵌合するコ字状本体１１からなり、
コ字状本体１１の前面板部９にはその左右方向中央部位に、サポート２を左右両側から挟持する一対の挟持部片１２，１２を突設してなることを特徴とする。
【０００７】
請求項２は、請求項１に記載のサポート位置決め保持具において、コ字状本体１１は、金属板を折曲してコ字状に形成したもので、前面板部９に突設される一対の挟持部片１２，１２は切り起こし片からなることを特徴とする。
【０００８】
請求項３は、壁下地用角形支柱１の前面１ａに壁板材４を取り付けるに先立ち、ブラケット掛止用のスリット穴３を長手方向に多数穿設したサポート２を、角形支柱１の前面１ａの幅方向中央部に位置決めして保持するためのサポート位置決め保持具であって、
前面板部９と左右両側板部１０，１０とでコ字状に形成されて角形支柱１に前面側から嵌合するコ字状本体１１からなり、
コ字状本体１１の前面板部９にはその左右方向中央部位に、サポート２を左右両側から挟持する一対の挟持部片１２，１２を突設すると共に、この一対の挟持部片１２，１２の下部側に、サポート２の下端を支持する支持部片１３を突設してなることを特徴としている。
【０００９】
請求項４は、請求項３に記載のサポート位置決め保持具において、コ字状本体１１は、金属板を折曲してコ字状に形成したもので、一対の挟持部片１２，１２の下部側に突設される支持部片１３は切り起こし片からなることを特徴とする。
【考案の効果】
【００１０】
上記解決手段による考案の効果を、後述する実施形態の参照番号を付して説明すると、請求項１に係る考案のサポート位置決め保持具７は、前面板部９と左右側板部１０，１０とでコ字状に形成されて角形支柱１にその前面側から嵌合するコ字状本体１１からなるもので、サポート２を角形支柱１に取り付けるにあたり、角形支柱１の上下複数箇所に前面側から嵌合させることによって、サポート２を、角形支柱１の前面１ａの幅方向中央部に位置決できると同時に、その位置に保持できるから、サポート２の取付作業を能率良く行なうことができる。
【００１１】
請求項２に係る考案によれば、コ字状本体１１は金属板を折曲してコ字状に形成したもので、前面板部９に突設される一対の挟持部片１２，１２は切り起こし片からなるため、サポート位置決め保持具７の製作が容易で安価に提供することができる。
【００１２】
請求項３に係る考案のサポート位置決め保持具８は、前面板部９と左右側板部１０，１０とでコ字状に形成されて角形支柱１にその前面側から嵌合するコ字状本体１１からなるもので、サポート２を角形支柱１に取り付けるに際に、角形支柱１の下端側所要位置で角形支柱１に嵌合保持させるようにすれば、サポート２の上端部や中間部は請求項１に係るサポート位置決め保持具７によって、角形支柱前面１ａの幅方向中央部に位置決めしてその位置に保持できると共に、この保持具８の支持部片１３によってサポート２の上下方向の位置決めを行なうことができ、サポート２の取付作業能率を一層向上させることができる。
【００１３】
請求項４に係る考案によれば、コ字状本体１１は金属板を折曲してコ字状に形成したもので、一対の挟持部片１２，１２の下部側に突設される支持部片１３も切り起こし片からなるため、サポート位置決め保持具８の製作が容易で安価に提供することができる。
【考案を実施するための最良の形態】
【００１４】
以下に本考案の好適な実施形態について図面を基づいて説明すると、図１の(a) は本考案に係るサポート位置決め保持具によってサポートを角形支柱の前面に取り付けた状態の正面図、(b) は一部断面側面図であり、図２の(a) は図１の(a) のＸ−Ｘ線断面図、(b) は(a) の一部拡大図であり、図３の(a) はサポート位置決め保持具の斜視図、(b) は平面図であり、図４の(a) は他のサポート位置決め保持具の斜視図、(b) は平面図、(c) は側面図である。
【００１５】
これらの図１〜図４において、本考案に係るサポート位置決め保持具は７及び８により示される。サポート位置決め保持具７は、前面板部９と左右両側板部１０，１０とでコ字状に形成されて壁下地用角形支柱１の前端部に嵌合するコ字状本体１１からなるもので、コ字状本体１０の前面板部８にはその左右方向中央部位に、サポート２をその左右両側から挟持する一対の挟持部片１２，１２が突設されている。
【００１６】
各コ字状本体１１の左右両側板部１０，１０は、角形支柱１にその前面側より嵌合してその状態に保持されるように、左右両側板部１０，１０の内端部どうしの間隔が角形支柱１の左右方向幅寸法より僅かに大きく、且つ左右両側板部１０，１０の先端部どうしの間隔が角形支柱１の左右方向幅寸法より僅かに小さくなるように形成されて、図３の(b) の平面図から分かるように左右両側板部１０，１０が互いに内向きに僅かに傾斜した状態となっている。また、両挟持部片１２，１２の間隔は、角形支柱１に取り付けるサポート２を両挟持部片１２，１２の間に嵌め込むことができて且つその状態に保持し得るようにサポート２の幅寸法より僅かに大きい寸法に設定される。
【００１７】
また、サポート位置決め保持具８は、角形支柱１の下端部側のみに使用されるもので、サポート位置決め保持具７と同じように、前面板部９と左右両側板部１０，１０でコ字状に形成されて角形支柱１の前端部に嵌合するコ字状本体１１からなり、且つコ字状本体１０の前面板部９の左右方向中央部位に、サポート２をその左右両側から挟持する一対の挟持部片１２，１２が突設されたもので、サポート位置決め保持具７と殆ど同じであるが、このサポート位置決め保持具８では、一対の挟持部片１２，１２の下部側に、サポート２の下端を支持する支持部片１３が突設されている点で、サポート位置決め保持具７と異なっている。
【００１８】
各サポート位置決め保持具７，８は、板厚の比較的薄い、例えば０．３ｍｍ程度の鋼板をプレス加工して、前面板部９と左右両側板部１０，１０とからなるコ字状本体１１を形成すると共に、図３の(a) 及び図４の(a)から分かるように、前面板部９の左右方向中央部位に一対のコ字状の切り込み１４，１４を左右対称状に入れて、そのコ字状切り込み部分を夫々引き起こすことにより、一対の切り起こし片からなる一対の挟持部片１２，１２を形成し、またサポート位置決め保持具８の方は、一対の挟持部片１２，１２の下部側に上向きコ字状の切り込み１５を入れて、コ字状切り込み部分を引き起こすことによって、切り起こし片からなる支持部片１３を形成したものである。
【００１９】
上記のような構成のサポート位置決め保持具７，８を使用して、図１及び図２に示すように天井面Ｓと床面Ｆとの間に立設された軽量角パイプからなる壁下地用角形支柱１の前面１ａの左右方向中央部位に、同図に示すようなチャンネル材からなるサポート２を取り付けるには、先ずサポート位置決め保持具７を角形支柱１の上下複数箇所に前面側から嵌合させ、角形支柱１の下端側には、支持部片１３を有するサポート位置決め保持具８を嵌合させ、そしてこれらサポート位置決め保持具７，８の各挟持部片１２，１２対にわたって、所要長さのサポート２を嵌め込む。このサポート２の下端はサポート位置決め保持具８の支持部片１３で支持させるようにする。
【００２０】
こうしてサポート２をサポート位置決め保持具７，８の各挟持部片１２，１２間に嵌合させることによって、このサポート２は、角形支柱１の前面１ａの幅方向中央部に位置決めされると同時に、その位置に保持される。しかして、この状態で、図１の(a) ，(b) に示すように、サポート２の表面側からタッピンネジ１６を、サポート位置決め保持具７，８を介して角形支柱１側にねじ込むことによって、サポート２が角形支柱１の前面１ａの幅方向中央部に固定されると同時に、各サポート位置決め保持具７が角形支柱１に固定される。
【００２１】
この場合、サポート２のタッピング箇所には上下に隣り合うスリット穴３，３間にあらかじめ皿形ネジ挿通孔を設けておくと、タッピンネジ１６をサポート２から保持具７，８の前面板部９及び角形支柱１に対して的確に且つスムーズにねじ込むことができる。
【００２２】
また、上記のようにサポート２及びサポート位置決め保持具７，８をタッピンネジ１６によって角形支柱１にねじ込む際には、各サポート位置決め保持具７，８が角形支柱１に嵌合保持されていると共に、サポート２が各サポート位置決め保持具７，８の各挟持部片１２，１２間に嵌合保持されているから、タッピンネジ１６のねじ込み作業を容易に行なうことができる。
【００２３】
上記のようにしてサポート２を角形支柱１前面１ａの幅方向中央部に固定したならば、図２の(a) ，(b) の仮想線、あるいは図８の実線で示すように、隣り合う角形支柱１，１間に石膏ボード等の壁板材４を挿入して、この壁板材４の両端部を両角形支柱１，１の前面１ａ，１ａの夫々片側半分に当て付けて、ビス等で固定する。この後、サポート２の所要のスリット穴３に、棚受け用ブラケット５の基端部に設けられている掛止突起５ａを、図１の(b) に仮想線で示すようにして掛止することにより、サポート２の前面に棚受け用ブラケット５を水平に突設し、しかして隣り合うブラケット５，５間に例えばガラス製の棚板６を載置する。
【００２４】
図５の(a) は、図１、図２及び図８に示されるチャンネルサポート２の正面図、(b) はその拡大断面図である。図１、図２及び図８に示されるサポート２は、スリット穴３が一列状に配設されているサポートであるが、図５の(c) はスリット穴３が二列状に配設されているサポート２の正面図、(d) はそのサポート２の拡大断面図である。また、サポート２は、チャンネル状のものに限らず、角管形や円筒形のものも使用される。図６の(a) は角管形のサポート２を示す斜視図、(b) は円筒形のサポート２を示す斜視図である。
【００２５】
また、図７の(a) は図１の(b) 及び図８に示す棚受け用ブラケット５の拡大斜視図で、基端部に二つの掛止突起５ａを備えており、先端部には棚板６の滑り落ちを防止するための突起部１７が突設されている。図７の(b) は基端部に三つの掛止突起５ａを備え且つ先端部にハンガー通し穴１８を備えたハンガー受け用ブラケット５の拡大斜視図であって、このブラケット５の先端部のハンガー通し穴１８に仮想線図示のような円筒状のハンガー１９を通し、このハンガー１９に商品等を掛けるようになっている。
【００２６】
なお、図１の(a) ，(b) において、２０は上部ランナー、２１は下部ランナーで、上部ランナー２０は、鋼板によって下向きコ字状に形成されたもので、天井面Ｓにビス等で固定され、また下部ランナー２１は、同じく鋼板により上向きコ字状に形成されたもので、床面Ｆにビス等で固定され、しかして上部ランナー２０と下部ランナー２１との間に壁下地用角形支柱１がランナー長手方向所要間隔おきに立設されるようになっている。
【００２７】
以上の実施形態では、壁下地用角形支柱１として軽量角パイプからなるものを例示したが、壁下地用角形支柱１としては、木製の角材も使用される。また実施形態では、サポート位置決め保持具７，８を鋼板等の金属板によって形成しているが、各サポート位置決め保持具７，８は、合成樹脂の成形によって形成したものでもよい。
【図面の簡単な説明】
【００２８】
【図１】(a) は本考案に係るサポート位置決め保持具によってサポートを角形支柱の前面に取り付けた状態の正面図、(b) は一部断面側面図である。
【図２】(a) は図１の(a) のＸ−Ｘ線断面図、(b) は(a) の一部拡大図である。
【図３】(a) はサポート位置決め保持具の斜視図、(b) は平面図であり、
【図４】(a) は他のサポート位置決め保持具の斜視図、(b) は平面図、(c) は側面図である。
【図５】(a) は図１、図２に示されるチャンネルサポートの正面図、(b) はその拡大断面図、(c) はスリット穴が二列状に配設されているサポートの正面図、(d) はそのサポートの拡大断面図である。
【図６】(a) は角管形のサポートの斜視図、(b) は円筒形のサポートをの斜視図である。
【図７】(a) は棚受け用ブラケットの拡大斜視図、(b) はハンガー受け用ブラケットの拡大斜視図である。
【図８】壁下地用角形支柱の前面にサポートを取り付け、サポートを挟むように壁板材の端部を角形支柱の前面に固定し、サポートに棚受け用ブラケットを掛止し、隣り合うブラケットにガラス製の棚板を載置した状態を示す説明斜視図である。
【符号の説明】
【００２９】
１            角形支柱
２            サポート
３            スリット穴
４            壁板
５            ブラケット
９            前面板部
１０          側板部
１１          コ字状本体
１２          挟持部片
１３          支持部片
【図１】
0003129223.tif 000003
【図２】
0003129223.tif 000004
【図３】
0003129223.tif 000005
【図４】
0003129223.tif 000006
【図５】
0003129223.tif 000007
【図６】
0003129223.tif 000008
【図７】
0003129223.tif 000009
【図８】
0003129223.tif 000010